(57)【要約】【課題】ＩＰ変換やスケーリングを行う映像信号処理部の前段で、ＯＳＤ表示用のオンスクリーン信号を重畳できるようにする。【解決手段】液晶パネル２０には、５４０本の走査線を有するユーロワイドパネルを用いる。このとき、映像信号としてＰＡＬ標準（ＳＤ）信号またはハイビジョン（ＨＤ）信号を入力した場合、映像信号変換部１４では、ライン間演算を伴うスケーリングを行わないため、ＯＳＤ混合部１７を映像信号変換部１４の前段に配置することができる。例えば、５７６本の走査線を有するＰＡＬ標準信号は、５７６本の走査線を有するプログレッシブ信号に変換され、オーバースキャンにより走査線を５４０本にして液晶パネル２０に表示する。また１０８０本の走査線を有するハイビジョン信号は、１フィールドの信号を用いて５４０本の走査線を有するプログレッシブ信号に変換し、液晶パネル２０に表示する。【選択図】図１
2006203849.tif 000002
【特許請求の範囲】
【請求項１】
所定数の走査線を有するインターレース方式の映像信号を入力する映像信号入力部と、該映像信号入力部からの映像信号のうち表示に使用する走査線を、該走査線の１フレーム当りの走査線数の整数分の１の走査線を有するプログレッシブ方式の映像信号に変換する映像信号変換部と、該映像信号変換部からの映像信号を入力してプログレッシブ方式の映像を表示するマトリックス型の表示パネルと、を有し、ＯＳＤ表示を行うためのオンスクリーン信号を映像信号に重畳するＯＳＤ混合部を、前記映像信号変換部よりも前段に有することを特徴とする映像表示装置。
【請求項２】
所定数の走査線を有するインターレース方式の映像信号を入力する映像信号入力部と、前記映像信号をデジタル映像信号に変換するＡＤコンバータと、前記デジタル映像信号のうち表示に使用する走査線を、該走査線の１フレーム当りの走査線数の整数分の１の走査線を有するプログレッシブ方式のデジタル映像信号に変換する映像信号変換部と、該映像信号変換部からの映像信号を入力してプログレッシブ方式の映像を表示するマトリックス型の表示パネルと、を有し、ＯＳＤ表示を行うためのオンスクリーン信号を映像信号に重畳するＯＳＤ混合部を、前記ＡＤコンバータよりも前段に有することを特徴とする映像表示装置。
【請求項３】
請求項１または２に記載の映像表示装置において、前記映像信号入力部がインターレース方式のＰＡＬ方式またはＳＥＣＡＭ方式の映像信号を入力したとき、前記映像信号変換部は、該映像信号を、プログレッシブ方式の映像信号に変換し、かつ表示に使用する映像信号として５４０本の走査線を有する映像信号に変換するものであり、該変換した５４０本の走査線を有する映像信号を５４０本の画素列を有するマトリックス型の表示パネルに表示することを特徴とする映像表示装置。
【請求項４】
請求項１または２に記載の映像表示装置において、前記映像信号入力部が１フレーム当り１０８０本の走査線を有するインターレース方式のハイビジョン映像信号を入力したとき、前記映像信号変換部は、前記１０８０本の走査線を有するインターレース方式の映像信号を表示に使用する映像信号として用い、該１０８０本の走査線を有する映像信号を、５４０本の走査線を有するプログレッシブ方式の映像信号に変換し、該変換した映像信号を５４０本の画素列を有するマトリックス型の表示パネルに表示することを特徴とする映像表示装置。
【請求項５】
請求項１または２に記載の映像表示装置において、前記映像信号入力部がインターレース方式のＮＴＳＣ方式の映像信号を入力したとき、前記映像信号変換部は、該映像信号をプログレッシブ方式の映像信号に変換し、かつ表示に使用する映像信号として４８０本の走査線を有する映像信号に変換するものであり、該変換した４８０本の走査線を有する映像信号を４８０本の画素列を有するマトリックス型の表示パネルに表示することを特徴とする映像表示装置。
【発明の詳細な説明】
【技術分野】
【０００１】
本発明は、映像ソースを表示するための映像表示装置に関し、特に、ＰＡＬ（ｐｈａｓｅ  ａｌｔｅｒｎａｔｉｏｎ  ｌｉｎｅ）方式、走査線数１０８０本のハイビジョン方式、ＮＴＳＣ方式の映像信号などの映像ソースを表示するための映像表示装置に関する。
【０００２】
映像ソースを表示するために液晶パネル、プラズマパネル等のマトリックス型表示パネルを用いた映像表示装置が知られている。このような映像表示装置には、通常、パーソナルコンピュータの表示規格に従った表示パネルが用いられる。例えば、４：３型のＶＧＡ（６４０ドット×４８０ドット）の表示パネルの場合、４８０行の画素列からなり、ＸＧＡ（１０２４ドット×７６８ドット）の表示パネルの場合、７６８行の画素列からなる。
一方、映像ソースのフォーマットでは、ＰＡＬ映像信号の５７６ｉとハイビジョンの１０８０ｉなどが規定されている。５７６ｉは走査線が５７６本のインターレース信号、１０８０ｉは走査線が１０８０本のインターレース信号である。すなわち、映像ソースの走査線数は、マトリックス型表示パネルの画素の行数と異なる。
【０００３】
したがって、映像ソースをマトリックス型表示パネルに表示するためには、ライン間演算を伴うスケーリングを行う必要がある。この場合、映像走査線数をパネルの垂直方向画素数に変換するために、上下に隣り合う水平走査線信号を所定比率で加算／平均化などの演算をすることにより新たな水平走査信号を作り出す処理を行う。
【０００４】
図１０を参照してＰＡＬ方式の標準（ＳＤ）映像信号のスケーリングを説明する。図１０（Ａ）は、走査線数が５７６本のインターレース方式の映像信号を模式的に表示したものであり、この映像信号を、以下、単に、５７６ｉ映像信号と称する。図１０（Ｂ）は、１６：９型のＷ−ＸＧＡ（１３６６ドット×７６８ドット）の表示パネルの画素列を模式的に表示したものであり、これを、以下、単に、Ｗ−ＸＧＡパネルと称する。
【０００５】
まず、図１０（Ａ）の５７６ｉ映像信号を、図１０（Ｃ）に示す、走査線が５４７本のプログレッシブ信号に変換する。こうして生成された信号を、以下、単に、５４７ｐ信号と称する。ここで、走査線がインターレース５７６本からプログレッシブ５４７本に変化しているのは、片フィールドの信号をラインメモリにより１ラインを２ラインに増やす処理を行い５７６Ｐ信号に変換し、さらに５％のオーバースキャン分２９ラインカットを行ったためである。
【０００６】
次に、図１０（Ｃ）の５４７ｐ信号を、図１０（Ｄ）に示す、走査線が７６８本のプログレッシブ信号に変換する。こうして生成された信号を、以下、単に、７６８ｐ信号と称する。ここで、走査線を５４７から７６８本に増加させるためにライン間演算を伴うスケーリングが実行される。スケーリングにより得られた７６８ｐ信号の走査線は、７６８本であるから、７６８行の画素列を有するＷ−ＸＧＡパネルに表示することができる。なお、５７６ｉ映像信号は４：３型であるから、それを１６：９型の表示パネルに表示するには、水平方向のスケーリングが必要である。
【０００７】
図１１を参照してハイビジョン（ＨＤ）映像信号のスケーリングを説明する。図１１（Ａ）は、走査線数が１０８０本のインターレース方式の映像信号を模式的に表示したものであり、この映像信号を、以下、単に、１０８０ｉ映像信号と称する。図１１（Ｂ）は、Ｗ−ＸＧＡパネルの画素列を模式的に示す。
まず、図１１（Ａ）の１０８０ｉ映像信号を、図１１（Ｃ）に示す、走査線が５４０本のプログレッシブ信号に変換する。こうして生成された信号を、以下、単に、５４０ｐ信号と称する。ここで、走査線がインターレース１０８０本からプログレッシブ５４０本に減少しているのは、偶数フィールドまたは奇数フィールドの信号の片方の信号を１画面の信号としたためである。
【０００８】
次に、図１１（Ｃ）の５４０ｐ信号を、図１１（Ｄ）に示す走査線が７６８本のプログレッシブ信号に変換する。走査線が５４０本から７６８本に増加しているのは、ライン間演算を行うスケーリングを実行したためである。７６８ｐ信号の走査線は、７６８本であるから、７６８行の画素列を有するＷ−ＸＧＡパネルに表示することができる。なお、１０８０ｉ映像信号は１６：９型であるから、それを１６：９型の表示パネルに表示するには、水平方向のスケーリングは不要である。
【０００９】
図１２は、ＰＡＬ方式の映像ソース用の液晶映像表示装置の構成の主要部を示す図であり、ＰＡＬ方式の映像ソース又はハイビジョン信号を１６：９型のＰＣ規格に沿ったＷ−ＸＧＡ表示パネルに表示する場合の例である。
図１２において、液晶映像表示装置は、複数の映像ソースからの映像信号ａ，ｂ，ｃを切り換えて入力する入力切換部１１、アナログ映像信号をデジタル信号に変換するＡＤコンバータ１２、映像信号変換処理に用いる映像信号変換用メモリ１３、スケーリング，ＩＰ変換等の映像信号変換処理を行うスケーラである映像信号変換部１４、画質強調補正処理を行う画質強調補正部１５、オンスクリーン信号を制御するＯＳＤ（Ｏｎ  Ｓｃｒｅｅｎ  Ｄｉｓｐｌａｙ）制御部１６、オンスクリーン信号を混合するＯＳＤ混合部１７、γ補正を行うγ補正部１８、液晶パネルを制御する液晶コントローラ１９、液晶パネル２０、ゲートドライバ２１、及びソースドライバ２２、を備えて構成される。
【００１０】
映像信号変換部１４は、ＩＰ変換等の映像信号変換処理を行うとともに、映像信号変換用メモリ１３を用いて、ＰＡＬ映像信号であれば５７６ｉ信号を７６８ｐ信号に、ハイビジョン信号であれば１０８０ｉ信号を７６８ｐ信号にスケーリングする。ＮＴＳＣ方式の映像ソースやＰＣの表示規格に従った表示パネルによってＰＡＬ方式の映像信号を表示する場合、スケーリング時の作業メモリとして用いる映像信号変換用メモリ１３には、フレームメモリが必要になる。
【００１１】
特許文献１には、色差信号に対しＳＥＣＡＭ（ｓｅｑｕｅｎｔｉａｌ  ａ  ｍｅｍｏｉｒ）方式で規定されている振幅を有するベルテーブルを備え、ＰＡＬ方式とＮＴＳＣ方式、ＳＥＣＡＭ方式に対応可能な映像信号処理回路が記載されている。
また、特許文献２には、水平同期信号の周期に基づいて信号線に蓄積される電圧の保持帰還が一定になるようにゲートパルスの位相を制御し、ＮＴＳＣ方式とＰＡＬ方式の表示品位の差異をなくすようにした液晶表装置が記載されている。
【特許文献１】特開２００２−１８５９７５号公報
【特許文献２】特開平５−１２７６２１号公報
【発明の開示】
【発明が解決しようとする課題】
【００１２】
上記のような従来のＷ−ＸＧＡ方式の表示パネルにあっては、ＰＡＬ方式の映像ソースやハイビジョン信号を、Ｗ−ＸＧＡ方式の表示パネル用に適用していたため、ライン間演算を伴うスケーリングを行う必要がある。このときのスケーリングは、映像走査線数をパネルの垂直方向画素数に変換するために、上下に隣り合う水平走査線信号を所定比率で加算／平均化などの演算をすることにより新たな水平走査信号を作り出すので、本来の映像信号よりも必ずぼける。
【００１３】
このときに、上記のようなライン間演算を伴うスケーリング処理を行う液晶表示装置の場合、オンスクリーン信号を混合するＯＳＤ混合部１７は、スケーリングを行う映像信号変換部１４の後段に設けなければならない。ＯＳＤ混合部１７を、映像信号変換部１４の前段に設けると、文字信号によるオンスクリーン信号を重畳した映像信号は、その後の映像信号変換部１４でライン間演算を伴うスケーリングが実行されるため、表示パネルに表示される文字情報がぼけてしまう、という問題が生じる。また、上記スケーリングで、映像信号の表示サイズが変わってしまうため、所望の画面位置に所望のサイズでＯＳＤによる文字を表示することが困難になる、という問題も生じる。
【００１４】
図１３は、図１０に該当するＰＡＬ方式の標準（ＳＤ）映像信号をＷ−ＸＧＡパネルに表示するときのＯＳＤ表示について説明するための図である。ここでは、図１３（Ａ）に示す走査線数が５７６本のインターレース方式の映像信号（５７６ｉ映像信）を、図１３（Ｃ）に示す、走査線が５４７本のプログレッシブ信号（５４７ｐ信号）に変換し、この５４７ｐ信号を、図１３（Ｄ）に示す、走査線が７６８本のプログレッシブ信号（７６８ｐ信号）に変換する。これらの処理は、図１２の映像信号変換部１４で実行される。
【００１５】
そして、図１２に示すＯＳＤ混合部１７では、７６８ｐ信号に対してオンスクリーン信号を混合（重畳）する。オンスクリーン信号が重畳された映像信号は、液晶パネル２０に表示される。オンスクリーン信号は、例えば、図１３（Ｂ）に示す文字情報"１"として表示される。この場合、映像信号変換部１４の後にＯＳＤ混合部１７が配置され、ＯＳＤ混合部１７の後段では、ライン間演算を伴うスケーリング処理がほどこされないため、映像信号の所望の位置に、ぼけることのないＯＳＤの文字情報を表示することができる。
【００１６】
図１４は、図１１に該当するハイビジョン（ＨＤ）映像信号をＷ−ＸＧＡパネルに表示するときのＯＳＤ表示について説明するための図である。図１４（Ａ）に示す走査線数が１０８０本のインターレース方式の映像信号（１０８０ｉ映像信号）を、図１４（Ｃ）に示す、走査線が５４０本のプログレッシブ信号（５４０ｐ信号）に変換し、この５４０ｐ信号を、図１４（Ｄ）に示す、走査線が７６８本のプログレッシブ信号（７６８ｐ信号）に変換する。これらの処理は、図１２の映像信号変換部１４で実行される。
【００１７】
そして、図１２に示すＯＳＤ混合部１７では、７６８ｐ信号に対してオンスクリーン信号を混合（重畳）する。オンスクリーン信号が重畳された映像信号は、液晶パネル２０に表示される。オンスクリーン信号は、例えば、図１４（Ｂ）に示す文字情報"１"として表示される。この場合、映像信号変換部１４の後にＯＳＤ混合部１７が配置され、ＯＳＤ混合部１７の後段では、スケーリング処理がほどこされないため、映像信号の所望の位置に、ぼけることのないＯＳＤの文字情報を表示することができる。
【００１８】
図１５は、上記のようなＰＡＬ信号をＷ−ＸＧＡパネルで表示する液晶表示装置において、スケーリングを行う映像信号変換部１４の前段に、ＯＳＤのオンスクリーン信号を重畳するＯＳＤ混合部１７を配置した例を示す図である。この場合は、入力映像信号をデジタル信号に変換するＡＤコンバータ１２と、スケーリングを行う映像信号変換部１４との間にＯＳＤ混合部１７を配置する。
【００１９】
図１６は、上記図１５の構成で、ＰＡＬ方式の標準（ＳＤ）映像信号をＷ−ＸＧＡパネルに表示するときのＯＳＤ表示について説明するための図である。
図１６の例では、走査線数が５７６本のインターレース方式の映像信号（５７６ｉ映像信）をＡＤコンバータ１２でＡＤ変換した後、ＯＳＤ混合部１７にてオンスクリーン信号をデジタル映像信号に重畳する。ここでは、オンスクリーン信号は、例えば、図１６（Ａ）に示す文字情報"１"として重畳される。
【００２０】
そして、映像信号変換部１４では、オンスクリーン信号が重畳された映像信号を、図１６（Ｃ）に示す走査線が５４７本のプログレッシブ信号（５４７ｐ信号）に変換し、この５４７ｐ信号を、図１６（Ｄ）に示す走査線が７６８本のプログレッシブ信号（７６８ｐ信号）にスケーリングして変換する。
【００２１】
この場合は、映像信号変換部１４がスケーリングを行う前に、ＯＳＤ混合部１７によるオンスクリーン信号が重畳されているので、重畳された文字情報が、ライン間演算を伴うスケーリングによって乱れ、７６８ｐ信号になったときにはその文字がぼけてしまう。
【００２２】
上記のような文字のぼけは、ハイビジョン（ＨＤ）映像信号をＷ−ＸＧＡパネルに表示する場合も同様である。ＡＤコンバータ１２でデジタル変換された１０８０ｉ映像信号に対して、ＯＳＤ混合部１７にて、例えば図１７（Ａ）に示す文字情報"１"をオンスクリーン信号として重畳する。そして、映像信号変換部１４では、オンスクリーン信号が重畳された映像信号を、図１７（Ｃ）に示す走査線が５４０本のプログレッシブ信号（５４０ｐ信号）に変換し、この５４０ｐ信号を、図１７（Ｄ）に示す走査線が７６８本のプログレッシブ信号（７６８ｐ信号）にスケーリングして変換する。
【００２３】
この場合においても、映像信号変換部１４がスケーリングを行う前に、ＯＳＤ混合部１７によるオンスクリーン信号が重畳されているので、重畳された文字情報が、ライン間演算を伴うスケーリングによって乱れ、７６８ｐ信号になったときにはその文字がぼけてしまう。なお、上記図１６（Ｄ）及び図１７（Ｄ）は、文字がぼけることを概略的に示しているにすぎず、ドットの数や濃さを正確に表現するものではない。
【００２４】
上述したように、従来のようなライン間演算を伴うスケーリングを行う液晶表示装置の場合、入力映像信号の目的の位置にぼけることのないオンスクリーン信号を重畳しようとする場合は、スケーリングを行う映像信号変換部の後でそのオンスクリーン信号を重畳しなければならない、という制限があった。スケーリングを行う前にオンスクリーン信号を重畳してしまうと、その後のスケーリング処理によってライン変換されるため、オンスクリーン信号の文字等がぼけて視認特性が悪化してしまうという問題が生じる。
【００２５】
またＯＳＤのオンスクリーン信号の重畳位置が制限されることは、回路設計の自由度が制限されることを意味する。例えば、ＡＤコンバータの前でＯＳＤのオンスクリーン信号を重畳できれば、廉価のアナログの文字重畳用ＩＣを適用することができるため、回路を簡略化するとともに、装置を低コスト化できる、という効果が得られる。
【００２６】
本発明は、上述のごとき実情に鑑みてなされたもので、表示する映像信号の走査線数に合致した垂直方向画素数を有する欧州規格の表示パネルを使用することで、映像信号処理部の前でＯＳＤのオンスクリーン信号を重畳できるようにし、これにより、回路設計の自由度を付与し、低コストで簡易な回路によって映像信号のＯＳＤ表示を行うことができるようにした映像表示装置を提供することを目的とする。
【００２７】
上記課題を解決するために、第１の技術手段は、所定数の走査線を有するインターレース方式の映像信号を入力する映像信号入力部と、映像信号入力部からの映像信号のうち表示に使用する走査線を、走査線の１フレーム当りの走査線数の整数分の１の走査線を有するプログレッシブ方式の映像信号に変換する映像信号変換部と、映像信号変換部からの映像信号を入力してプログレッシブ方式の映像を表示するマトリックス型の表示パネルと、を有し、ＯＳＤ表示を行うためのオンスクリーン信号を映像信号に重畳するＯＳＤ混合部を、映像信号変換部よりも前段に有することを特徴としたものである。
【００２８】
第２の技術手段は、第１の技術手段において、所定数の走査線を有するインターレース方式の映像信号を入力する映像信号入力部と、映像信号をデジタル映像信号に変換するＡＤコンバータと、デジタル映像信号のうち表示に使用する走査線を、走査線の１フレーム当りの走査線数の整数分の１の走査線を有するプログレッシブ方式のデジタル映像信号に変換する映像信号変換部と、映像信号変換部からの映像信号を入力してプログレッシブ方式の映像を表示するマトリックス型の表示パネルと、を有し、ＯＳＤ表示を行うためのオンスクリーン信号を映像信号に重畳するＯＳＤ混合部を、ＡＤコンバータよりも前段に有することを特徴としたものである。
【００２９】
第３の技術手段は、第１または第２の技術手段において、映像信号入力部がインターレース方式のＰＡＬ方式またはＳＥＣＡＭ方式の映像信号を入力したとき、映像信号変換部は、映像信号を、プログレッシブ方式の映像信号に変換し、かつ表示に使用する映像信号として５４０本の走査線を有する映像信号に変換するものであり、変換した５４０本の走査線を有する映像信号を５４０本の画素列を有するマトリックス型の表示パネルに表示することを特徴としたものである。
【００３０】
第４の技術手段は、第１または第２の技術手段において、映像信号入力部が１フレーム当り１０８０本の走査線を有するインターレース方式のハイビジョン映像信号を入力したとき、映像信号変換部は、１０８０本の走査線を有するインターレース方式の映像信号を表示に使用する映像信号として用い、１０８０本の走査線を有する映像信号を、５４０本の走査線を有するプログレッシブ方式の映像信号に変換し、変換した映像信号を５４０本の画素列を有するマトリックス型の表示パネルに表示することを特徴としたものである。
【００３１】
第５の技術手段は、第１または第２の技術手段において、映像信号入力部がインターレース方式のＮＴＳＣ方式の映像信号を入力したとき、映像信号変換部は、映像信号をプログレッシブ方式の映像信号に変換し、かつ表示に使用する映像信号として４８０本の走査線を有する映像信号に変換するものであり、変換した４８０本の走査線を有する映像信号を４８０本の画素列を有するマトリックス型の表示パネルに表示することを特徴としたものである。
【発明の効果】
【００３２】
本発明によれば、表示する映像信号の走査線数に合致した垂直方向画素数を有する欧州規格の表示パネルを使用することで、映像信号処理部の前でＯＳＤ表示用のオンスクリーン信号を重畳することができる。これにより、映像信号処理部の前であっても、表示信号の所望の位置にＯＳＤ表示を容易に行うことができ、また、回路設計の自由度が増して、低コストで簡易な回路によって映像信号のＯＳＤ表示を行うことができる。
また従来フレームメモリを使っていたスケーラが、ラインメモリを使ったスケーラとなるため、回路が簡素化され、消費電力が低減されて環境に優しい映像表示装置を提供することができる。
【発明を実施するための最良の形態】
【００３３】
以下、添付図面を参照しながら本発明の好適な映像表示装置の実施の形態について詳細に説明する。
図１は、本発明の実施の形態の映像表示装置の構成の主要部を示す図である。本実施の形態に係る映像表示装置は、ＰＡＬ方式のデジタル映像ソース用の液晶映像表示装置に適用した例である。
【００３４】
図１において、液晶映像表示装置は、複数のデジタル映像ソースからの映像信号ａ，ｂ，ｃを切り換えて入力する入力切換部１１、アナログ信号をデジタル信号に変換するＡＤコンバータ１２、映像信号変換処理に用いる映像信号変換用メモリ１３、スケーリング，ＩＰ変換等の映像信号変換処理を行うスケーラである映像信号変換部１４、画質強調補正処理を行う画質強調補正部１５、オンスクリーン信号を制御するＯＳＤ制御部１６、オンスクリーン信号を混合するＯＳＤ混合部１７、γ補正を行うγ補正部１８、液晶パネル２０を制御する液晶コントローラ１９、液晶パネル２０、ゲートドライバ２１、及びソースドライバ２２を備えて構成される。本実施形態では、ＯＳＤ混合部１７は、ＡＤコンバータ１２と映像信号変換部１４との間に配置される。
【００３５】
本実施形態では、液晶パネル２０として欧州規格の表示パネル（９６０ドット×５４０ドット）を使用する。そして本実施形態では、映像信号変換用メモリとして従来例で説明したフレームメモリではなく、ラインメモリを適用可能で、映像信号変換部１４では、簡易スケーリング，ＩＰ変換等の映像信号変換処理を行う簡易スケーラが使用される。
【００３６】
上記のように簡易スケーラによる映像信号変換部１４は、映像信号変換用メモリ１３を用いてＩＰ変換等の映像信号変換処理を行うとともに、映像信号変換用メモリ１３を用いて簡易スケーリングを行う。液晶映像表示装置において、ＨＤ信号（１０８０ｉ）時は映像信号変換部１４及び映像信号変換用メモリ１３なしでＰＡＬ方式の表示が可能である。また、ＰＡＬ標準信号では、映像信号変換用メモリ１３を用いた映像信号変換部１４でＰＡＬ方式の表示が可能である。
【００３７】
液晶パネル２０は、それぞれの画素の垂直方向と水平方向の間隔が等しく構成されており、４：３のアスペクト比率を有するＰＡＬ方式の映像信号の水平走査線のうち表示信号が存在する水平走査線の数に対応した５４０の垂直方向画素数を有し、この垂直方向画素数に対して１６／９の比率の数に対応した９６０の水平方向画素数を有している。
そしてＰＡＬ方式またはＳＥＣＡＭ方式の映像信号を表示するときは、表示信号が存在する各々の水平走査線信号を液晶パネル２０の各々に合致した垂直位置の画素に対応させるとともに、５４０の４／３倍の水平方向画素数に対応した水平方向範囲の画素に対応させて表示し、１６：９のアスペクト比率を有するハイビジョン等の映像信号を表示するときは、表示信号が存在する各々の水平走査線信号を液晶パネル２０の各々の合致した垂直位置の画素に対応させて表示する。
【００３８】
以下、上述のように構成された液晶映像表示装置の映像信号変換部１４における映像信号変換処理を説明する。
図２は、ＰＡＬ方式の標準（ＳＤ）映像信号の映像信号変換処理を説明する図である。図２（Ａ）は、図７（Ａ）に示した走査線数が５７６本のインターレース方式の映像信号、すなわち、５７６ｉ映像信号を模式的に表示したものである。図２（Ｂ）は、１６：９型の欧州規格の表示パネル（９６０ドット×５４０ドット）の画素列を模式的に表示したものであり、これを、以下、単に、ワイドユーロパネルと称する。
【００３９】
まず、図２（Ａ）の５７６ｉ映像信号を、映像信号変換用メモリ１３を用いてフィールドの走査線数を２８８本から５７６本に増やす。ここでは、単純に倍の走査線に増やすため簡易スケーリングで可能である。その結果、図２（Ｃ）に示すように走査線が５７６本のプログレッシブ信号に変換される。こうして生成された信号を、以下、単に、５７６ｐ信号と称する。ここで、インターレース信号はプログレッシブ信号に変化しているが走査線の数は変化していない。したがって、ライン間演算を伴うスケーリングは不要である。
【００４０】
次に、図２（Ｃ）の５７６ｐ信号を、図２（Ｄ）に示す走査線が５４０本のプログレッシブ信号に変換する。こうして生成された信号を、以下、単に、５４０ｐ信号と称する。ここで、走査線が５７６本から５４０本に減少しているのは、６.２５％のオーバースキ
ャン分カットを行ったためであり、スケーリングは不要である。５４０ｐ信号の走査線は、５４０本であるから、５４０行の画素列を有するワイドユーロパネルに表示することができる。なお、５７６ｉ映像信号は４：３型であるから、それを１６：９型のワイドユーロパネルに表示するには、水平方向のスケーリングが必要である。
【００４１】
図３は、ハイビジョン（ＨＤ）映像信号の映像信号変換を説明する図である。図３（Ａ）は、走査線数が１０８０本のインターレース方式の映像信号、すなわち、１０８０ｉ映像信号を模式的に表示したものである。図３（Ｂ）は、１６：９型の欧州規格のワイドユーロパネル（９６０ドット×５４０ドット）の画素列を模式的に表示したものである。
【００４２】
まず、図３（Ａ）の１０８０ｉ映像信号を、図３（Ｃ）に示す、走査線が５４０本のプログレッシブ信号、すなわち、５４０ｐ信号に変換する。１０８０ｉの１フィールドの走査線は５４０本であるから、図３（Ｄ）に示すように、５４０行の画素列を有するワイドユーロパネルに表示することができる。なお１０８０ｉ映像信号は１６：９型であるから、それを１６：９型のワイドユーロパネルに表示するには、水平方向のスケーリングは不要である。
【００４３】
上述のように、本例のマトリックス型表示装置において、ＰＡＬ方式の標準（ＳＤ）映像信号をワイドユーロパネルに表示する場合、映像信号変換部１４では、図２（Ａ）の５７６ｉ映像信号を図２（Ｃ）の５７６ｐ信号にＩＰ変換し、それを、図２（Ｄ）の５４０ｐ信号に変換するだけである。すなわち、映像信号に対してオーバースキャンと水平方向のスケーリングを行ない、垂直方向には単純に２倍のスケーリングを行えばよい。
またＰＡＬ方式のハイビジョン（ＨＤ）映像信号をワイドユーロパネルに表示する場合、図３（Ａ）の１０８０ｉ映像信号を図３（Ｃ）の５４０ｐ信号に変換するだけである。
【００４４】
すなわち、いずれの場合にも、ライン間演算を伴うスケーリングを行う必要がなく、映像信号をワイドユーロパネルに表示することができる。
したがって、本実施の形態では、映像信号変換用メモリとして従来必要としていたフレームメモリが不要となり、フレームメモリより格段にメモリ容量の小さいスケーリング用ラインメモリを用いて簡易スケーリングを行うことができる。
【００４５】
そして、本実施形態では、上記のように映像信号変換部１４にてライン間演算を伴うスケーリングを行う必要がないため、ＯＳＤ表示用のオンスクリーン信号を重畳するＯＳＤ混合部１７を、映像信号変換部１４の前段に配置することができる。すなわち、映像信号部１４の前段でＯＳＤ用のオンスクリーン信号を重畳しても、映像信号変換部１４の変換処理がライン間演算を伴うスケーリングではないため、重畳された文字等のオンスクリーン信号がぼけることなく、液晶パネル２０に表示される。
【００４６】
図４は、上記図１の構成で、ＰＡＬ方式の標準（ＳＤ）映像信号を１６：９型の欧州規格のワイドユーロパネル（９６０ドット×５４０ドット）に表示するときのＯＳＤ表示について説明するための図である。
図４の例では、走査線数が５７６本のインターレース方式の映像信号（５７６ｉ映像信）をＡＤコンバータ１２でＡＤ変換した後、ＯＳＤ混合部１７にて文字等のオンスクリーン信号をデジタル映像信号に重畳する。ここでは、オンスクリーン信号は、例えば、図４（Ａ）に示す文字情報"１"として重畳される。
【００４７】
そして、映像信号変換部１４では、オンスクリーン信号が重畳された映像信号を、図４（Ｃ）に示す走査線が５７６本のプログレッシブ信号（５７６ｐ信号）に変換する。ここでは、単純にフィールドの走査線数を２倍に増やす簡易スケーリングが行われる。
そして、図２（Ｃ）の５７６ｐ信号を、オーバースキャンによって図２（Ｄ）に示す走査線が５４０本のプログレッシブ信号に変換する。
【００４８】
この場合は、映像信号変換部１４の前段で、ＯＳＤ混合部１７によるオンスクリーン信号が重畳されているが、映像信号変換部１４における処理が、ライン間演算を伴わない簡易スケーリングであるため、重畳された文字等のオンスクリーン信号をぼけることなく表示することができる。
【００４９】
図５は、上記図１の構成で、ハイビジョン（ＨＤ）映像信号を１６：９型の欧州規格のワイドユーロパネル（９６０ドット×５４０ドット）に表示するときのＯＳＤ表示について説明するための図である。
ハイビジョンの場合も、上記のＰＡＬ標準（ＳＤ）信号の場合と同様に、ＡＤコンバータ１２でデジタル変換された１０８０ｉ映像信号に対して、ＯＳＤ混合部１７にて、例えば図５（Ａ）に示す文字情報"１"をオンスクリーン信号として重畳する。そして、映像信号変換部１４では、オンスクリーン信号が重畳された映像信号を、図５（Ｃ）に示す走査線が５４０本のプログレッシブ信号（５４０ｐ信号）に変換する。得られた５４０ｐ信号は、５４０行の画素列を有するワイドユーロパネルにそのまま表示することができる（図５（Ｄ）。
【００５０】
この場合にも、オンスクリーン信号が重畳されている映像信号は、映像信号変換部１４でライン間演算を伴うスケーリングの必要なくそのままユーロパネルに表示できるため、重畳された文字等のオンスクリーン信号をぼけることなく表示することができる。
【００５１】
図６は、本発明の実施の形態の映像表示装置の他の構成における主要部を示す図である。上記のように、本発明では、映像信号変換部１４の前段で、ＯＳＤ表示用の文字等のオンスクリーン信号を映像信号に重畳することができる。従って、上記図１のように、ＯＳＤ混合部１７をＡＤコンバータ１２と映像信号変換部１４との間に配置する構成のみならず、図６に示すように、ＡＤコンバータ１２の前段にＯＳＤ混合部１７を配置し、アナログの映像信号に対して文字等のオンスクリーン信号を重畳するようにしてもよい。この場合は、ＯＳＤ混合部１７として、廉価のアナログの文字重畳ＩＣを適用することができるため、回路を簡略化するとともに、装置を低コスト化できる、という効果が得られる。
【００５２】
また、本発明の映像表示装置においては、スケーリングを行う映像信号変換部として、フレームメモリを用いる必要が無く、回路が簡素化できるため、消費電力を削減することができ、環境に優しい製品を提供できるという効果も得られる。
【００５３】
図７は、本発明の実施の形態の映像表示装置の他の構成における主要部を示す図である。図中、２３は入力映像信号から文字データ信号を分離するテレテキスト信号分離部、２４は文字データ信号から文字信号を発生するテレテキスト文字信号発生部、２５は文字信号を映像信号に重畳するテレテキスト文字信号混合部を示す。本実施形態では、テレテキスト文字信号混合部２５を映像信号変換部１４の前段に配置し、ＯＳＤ混合部１７をテレテキスト文字信号混合部２５よりも後段（ここでは、映像信号変換部１４の後段）に配置しているため、映像信号変換部１４の前段で、文字信号を映像信号に重畳することができる。なお、図７乃至図９において文字信号を欧州のテレテキストとして記載しているが、例えば、クローズドキャプション（米国）、文字多重（日本）としても同様である。
【００５４】
図７において、映像信号に含まれて送られてくるテレテキストやクローズドキャプションなどの文字は、垂直位置が映像信号の何ライン目からか、また、水平位置が水平同期信号から何マイクロ秒から表示するのかといったように、映像信号に対して表示位置が定められているため、映像信号が変換される前に重畳する必要がある。しかし、デジタル処理する従来のテレビジョン装置では、ＡＤ変換して信号変換することにより、重畳した文字信号がライン間演算によりぼけてしまっていたが、本発明では、映像信号のライン間演算をしないでも信号変換できるような液晶パネル２０の走査線数にしているため、文字信号を重畳した映像信号を信号変換しても文字信号がぼけることがない。
【００５５】
また、映像表示装置本体内で発生させるメニューなどのＯＳＤ信号は、映像信号や文字信号に優先させて表示する必要があるため、文字信号重畳後に重畳する必要があるが、ＯＳＤ信号についても、文字信号と同様に信号変換により文字がぼけることがないため、信号変換の前でも後でも自由に配置することができる。
【００５６】
従って、上記図７に示すように、テレテキスト文字信号混合部２５を映像信号変換部１４の前段に配置し、ＯＳＤ混合部１７を映像信号変換部１４よりも後段に配置する構成のみならず、図８に示すように、テレテキスト文字信号混合部２５と映像信号変換部１４の間にＯＳＤ混合部１７を配置してもよい。また、図９に示すように、ＡＤコンバータ１２の前段にテレテキスト文字信号混合部２５を配置し、ＯＳＤ混合部１７をＡＤコンバータ１２よりも後段に配置して、アナログの映像信号に対して文字信号を重畳するようにしてもよい。この場合は、テレテキスト文字信号混合部２５として、廉価のアナログの文字重畳ＩＣを適用することができるため、回路を簡略化するとともに、装置を低コスト化できる、という効果が得られる。
また、図７および図８において、テレテキスト信号分離部２３は、ＡＤコンバータ１２の前段に接続されていても良い。
【００５７】
また、上記構成例では、ＰＡＬ方式の映像ソース用のマトリックス型液晶表示装置について説明したが、本発明は、ＳＥＣＡＭ方式の映像ソース用のマトリックス型表示装置についても同様に適用可能であることは当業者であれば容易に理解できよう。また、ここではマトリックス型液表示パネルとして液晶パネルの場合を説明したが、本発明は、プラズマパネルを用いた表示装置にも適用可能である。
【００５８】
また、ここまでの説明はアスペクト比１６：９のワイド表示装置で説明したが、アスペクト比４：３の標準アスペクトの表示装置であっても、同様の効果があることは、明らかである。この場合、水平方向の画素数は７２０程度が適当である。
【００５９】
また、本発明は、ＮＴＳＣの方式の映像ソース用のマトリクス型液晶表示装置についても、同様の効果を奏することができる。すなわち、ＮＴＳＣ方式の映像信号は、表示に使用する１フレームの水平ラインはほぼ４８０ラインである。よって、マトリクス表示装置の垂直方向の画素数を４８０にすれば、映像信号の表示ライン数と表示装置の垂直方向の画素数を等しくすることができる。そのため、文字を重畳してから表示装置のための映像変換をしても、水平ラインと垂直方向の画素を１：１に変換することができるため、映像信号も文字信号もぼけることがない。なお、垂直方向の画素数が４８０であるため、水平方向の画素数は１６：９のワイドアスペクト比の場合は８５３程度、４：３の標準アスペクト比の場合は６４０程度が適当である。
【００６０】
以上、本発明の例を説明したが、本発明は上述の例に限定されるものではなく、特許請求の範囲に記載された発明の範囲にて様々な変更が可能であることは当業者に理解されよう。
また、本実施の形態では映像表示装置という名称を用いたが、これは説明の便宜上であり、液晶表示パネル、ＰＡＬパネル、ＮＴＳＣパネル等であってもよいことは勿論である。
【産業上の利用可能性】
【００６１】
本発明は、ＰＡＬ方式、ＳＥＣＡＭ方式、ハイビジョン方式、ＮＴＳＣ方式などの放送受信装置の表示技術として利用できる。
【図面の簡単な説明】
【００６２】
【図１】本発明の実施の形態の映像表示装置の構成の主要部を示す図である。
【図２】ＰＡＬ方式の標準（ＳＤ）映像信号の映像信号変換処理を説明する図である。
【図３】ハイビジョン（ＨＤ）映像信号の映像信号変換を説明する図である。
【図４】ＰＡＬ方式の標準（ＳＤ）映像信号を１６：９型の欧州規格のワイドユーロパネルに表示するときのＯＳＤ表示について説明するための図である。
【図５】ハイビジョン（ＨＤ）映像信号を１６：９型の欧州規格のワイドユーロパネルに表示するときのＯＳＤ表示について説明するための図である。
【図６】本発明の実施の形態の映像表示装置の他の構成における主要部を示す図である。
【図７】本発明の実施の形態の映像表示装置の他の構成における主要部を示す図である。
【図８】本発明の実施の形態の映像表示装置の他の構成における主要部を示す図である。
【図９】本発明の実施の形態の映像表示装置の他の構成における主要部を示す図である。
【図１０】ＰＡＬ方式の標準（ＳＤ）映像信号をＷ−ＸＧＡパネルに表示するときのスケーリングを説明するための図である。
【図１１】ハイビジョン（ＨＤ）映像信号をＷ−ＸＧＡパネルに表示するときのスケーリングを説明するための図である。
【図１２】ＰＡＬ方式の映像ソース用の従来の液晶映像表示装置の構成の主要部を示す図である。
【図１３】ＰＡＬ方式の標準（ＳＤ）映像信号をＷ−ＸＧＡパネルに表示するときのＯＳＤ表示について説明するための図である。
【図１４】ハイビジョン（ＨＤ）映像信号をＷ−ＸＧＡパネルに表示するときのＯＳＤ表示について説明するための図である。
【図１５】スケーリングを行う映像信号変換部の前段に、ＯＳＤのオンスクリーン信号を重畳するＯＳＤ混合部を配置した例を示す図である。
【図１６】ＰＡＬ方式の標準（ＳＤ）映像信号をＷ−ＸＧＡパネルに表示するときのＯＳＤ表示について説明するための図である。
【図１７】ハイビジョン（ＨＤ）映像信号をＷ−ＸＧＡパネルに表示するときのＯＳＤ表示について説明するための図である。
【００６３】
１１…入力切換部、１２…ＡＤコンバータ、１３…映像信号変換用メモリ、１４…映像信号変換部、１５…画質強調補正部、１６…ＯＳＤ制御部、１７…ＯＳＤ混合部、１８…γ補正部、１９…液晶コントローラ、２０…表示パネル、２１…ゲートドライバ、２２…ソースドライバ、２３…テレテキスト信号分離部、２４…テレテキスト文字信号発生部、２５…テレテキスト文字信号混合部。
【図１】
2006203849.tif 000003
【図２】
2006203849.tif 000004
【図３】
2006203849.tif 000005
【図４】
2006203849.tif 000006
【図５】
2006203849.tif 000007
【図６】
2006203849.tif 000008
【図７】
2006203849.tif 000009
【図８】
2006203849.tif 000010
【図９】
2006203849.tif 000011
【図１０】
2006203849.tif 000012
【図１１】
2006203849.tif 000013
【図１２】
2006203849.tif 000014
【図１３】
2006203849.tif 000015
【図１４】
2006203849.tif 000016
【図１５】
2006203849.tif 000017
【図１６】
2006203849.tif 000018
【図１７】
2006203849.tif 000019